(57)【要約】      （修正有）【課題】クライアント端末の管理者が、表示や操作をカスタマイズできるだけではなく、ユーザにとっても、自己の好みに合った表示や操作に設定できる操作表示システムを提供する。【解決手段】情報表示に基づき操作し得る操作表示部を備えたクライアント端末と、クライアント端末に関する情報を管理する管理サーバが、ネットワークを介して接続されデータを送受信するシステム１００であって、クライアント端末を介して又は直接に、管理サーバにユーザ登録を行ったユーザは、自身のユーザ識別情報とクライアント端末の識別情報とを管理サーバに送信し、管理サーバは、ユーザ識別情報とクライアント端末識別情報を関連付けし、ユーザ識別情報に基づくユーザ設定情報を、関連付けされたクライアント端末の設定情報として保存し、設定情報を関連付けされたクライアント端末に送信することにより、クライアント端末の操作表示部をカスタマイズする。【選択図】図１
2019159577.tif 000002
【特許請求の範囲】
【請求項１】
情報表示に基づき操作し得る操作表示部を備えたクライアント端末と、クライアント端末に関する情報を管理する管理サーバが、ネットワークを介して接続されデータを送受信するシステムであって、
クライアント端末を介して、又は、直接に、管理サーバにユーザ登録を行ったユーザは、自身のユーザ識別情報とクライアント端末の識別情報とを管理サーバに送信し、
管理サーバは、前記ユーザ識別情報とクライアント端末識別情報を関連付けし、前記ユーザ識別情報に基づくユーザ設定情報を、関連付けされたクライアント端末の設定情報として保存し、前記設定情報を関連付けされたクライアント端末に送信することにより、クライアント端末の前記操作表示部をカスタマイズすることを特徴とする操作表示システム。
【請求項２】
前記ユーザ識別情報と、前記クライアント端末の識別情報の前記管理サーバへの送信は、
前記クライアント端末の操作表示部に表示された二次元コードを、前記ユーザの所持するモバイル端末で読取り、前記管理サーバに送信することで行うことを特徴とする請求項１に記載の操作表示システム。
【請求項３】
前記ユーザ識別情報と、前記クライアント端末の識別情報の前記管理サーバへの送信は、
前記ユーザの所持するモバイル端末の表示部に表示された二次元コードを、前記クライアント端末で読取り、前記管理サーバに送信することで行うことを特徴とする請求項１に記載の操作表示システム。
【請求項４】
前記ユーザ識別情報と、前記クライアント端末の識別情報の前記管理サーバへの送信は、
前記ユーザの生体情報を、前記クライアント端末で読取り、前記管理サーバに送信することで行うことを特徴とする請求項１に記載の操作表示システム。
【請求項５】
前記ユーザ識別情報と、前記クライアント端末の識別情報の前記管理サーバへの送信は、
近距離無線通信により取得した情報を、前記管理サーバに送信することで行うことを特徴とする請求項１に記載の操作表示システム。
【請求項６】
前記ユーザによるカスタマイズは、前記端末管理者によるカスタマイズを制限しない範囲で行いうることを特徴とする請求項１〜５の何れかに記載の操作表示システム。
【請求項７】
前記管理サーバは、情報を管理するクライアント端末の内、複数の端末を一括して前記操作表示部をカスタマイズし得ることを特徴とする請求項１〜６の何れかに記載の操作表示システム。
【請求項８】
前記クライアント端末は、
自然由来の木材、天然繊維、天然皮革もしくは天然石材、又は、自然の外観と手触りを模倣して生成された素材である合成繊維、合成皮革もしくは人工石から成る薄層が、筐体の外周面に組込まれたタッチセンサ付き表示パネル前面全体を少なくとも被覆し前記パネル前面に当接するように、筐体の外周面に配設され、
前記薄層の厚さと前記パネルの輝度が、該パネルに表示されたコンテンツを視認できるように設計されたことを特徴とする請求項１〜７の何れかに記載の操作表示システム。
【発明の詳細な説明】
【技術分野】
【０００１】
本発明は、タッチパネルなどの操作表示パネルにおける操作表示システムに関するものである。
【背景技術】
【０００２】
従来の操作表示パネルでは、工場出荷時の設定により、予め設定された表示コンテンツが表示されるものが殆どである。
しかしながら、ホテルやオフィス、貸会議室といった場所では、事業者がある程度まとまった台数を購入した上で、一括して管理するニーズが存在する。
また、ホテルやオフィスなどでは、利用するユーザに合わせた表示コンテンツを表示させたいといったニーズも存在する。
【０００３】
複数のクライアント端末を一括で管理できる装置や方法としては、複数のクライアント端末のデスクトップ環境を端末の種類に関わらず一括して管理できる情報処理装置及びクライアント管理方法が知られている。
これは、オフィスなどの中にある多数のクライアント端末をサーバによって管理するクライアント管理システムにおいては、クライアント端末には、パーソナルコンピュータ（以下、「ＰＣ」とする。）のようなリッチクライアント端末だけでなく、シンクライアント端末も用いられることがあるところ、これらを別々に管理するのではなく、一括して管理可能にし、利便性を向上させたものである（特許文献１を参照）。
しかしながら、上記特許文献１に開示されたクライアント管理方法では、クライアント端末を一括で管理することはできるが、ホテルやオフィスなどに設置される端末において、利用するユーザに合わせた表示コンテンツを表示させるといったニーズを満たすものではないという問題がある。
【先行技術文献】
【特許文献】
【０００４】
【特許文献１】特開２０１３−１８６７９４号公報
【発明の概要】
【発明が解決しようとする課題】
【０００５】
かかる状況に鑑みて、本発明は、クライアント端末の管理者が、自己の管理する複数のクライアント端末につき、個別或は一括で、表示や操作のカスタマイズができるだけではなく、クライアント端末のユーザにとっても、自己の好みに合った表示や操作に設定できる操作表示システムを提供することを目的とする。
【課題を解決するための手段】
【０００６】
上記課題を解決すべく、本発明の操作表示システムは、情報表示に基づき操作し得る操作表示部を備えたクライアント端末と、クライアント端末に関する情報を管理する管理サーバが、ネットワークを介して接続されデータを送受信するシステムであって、クライアント端末を介して、又は、直接に、管理サーバにユーザ登録を行ったユーザは、自身のユーザ識別情報とクライアント端末の識別情報とを管理サーバに送信する。そして、管理サーバは、ユーザ識別情報とクライアント端末識別情報を関連付けし、ユーザ識別情報に基づくユーザ設定情報を、関連付けされたクライアント端末の設定情報として保存する。そして、管理サーバは、設定情報を関連付けされたクライアント端末に送信することにより、クライアント端末の操作表示部をカスタマイズする。
クライアント端末の識別情報とユーザの識別情報を紐付けすることにより、ユーザの嗜好に合致した操作表示コンテンツの表示が可能になり、ユーザに対して親しみやすい操作表示を提供することができる。また、直接、管理サーバにユーザ登録を行うとは、クライアント端末を介して行う方法以外の方法を広く含み、例えば、自身の所持するＰＣやモバイル端末を用いてユーザ登録を行えることを意味する。また、ユーザによる自身のユーザ識別情報とクライアント端末の識別情報の管理サーバへの送信についても、クライアント端末を介して行ってもよいし、自身の所持するモバイル端末等を用いて行っても構わない。
【０００７】
本発明の操作表示システムにおいて、ユーザ識別情報と、クライアント端末の識別情報の管理サーバへの送信は、クライアント端末の操作表示部に表示された二次元コードを、ユーザの所持するモバイル端末で読取り、管理サーバに送信することで行うことでもよい。
【０００８】
本発明の操作表示システムにおいて、ユーザ識別情報と、クライアント端末の識別情報の管理サーバへの送信は、ユーザの所持するモバイル端末の表示部に表示された二次元コードを、クライアント端末で読取り、管理サーバに送信することで行うことでもよい。モバイル端末における二次元コードの表示は、専用のアプリケーションを用いて行ってもよいし、管理サーバが提供するインターネットサイトにアクセスし、ログインして、二次元コードを表示する方式でも構わない。
【０００９】
本発明の操作表示システムにおいて、ユーザ識別情報と、クライアント端末の識別情報の管理サーバへの送信は、ユーザの生体情報を、クライアント端末で読取り、管理サーバに送信することで行うことでもよい。ユーザの生体情報を利用する生体認証方式を採用することで、ユーザの認証が迅速かつ容易となり、利便性が向上する。ここで、生体情報とは、指紋、静脈パターン、虹彩、声紋、顔、網膜などが挙げられるがこれらに限られるものではない。
【００１０】
本発明の操作表示システムにおいて、ユーザ識別情報と、クライアント端末の識別情報の管理サーバへの送信は、近距離無線通信により取得した情報を、管理サーバに送信することで行うことでもよい。ここで、取得した情報とは、ユーザの所持するモバイル端末等とクライアント端末との通信により取得される情報のことであり、モバイル端末等がクライアント端末から受信したデータでもよいし、クライアント端末がモバイル端末等から受信したデータでもよい。
なお、近距離無線通信の例としては、ＲＦＩＤ（Radio Frequency Identifier）、ＮＦＣ（Near Field Communication）、ＢＬＥ（Bluetooth Low Energy；Bluetoothは登録商標です）などが挙げられるが、これらに限られるものではない。
【００１１】
本発明の操作表示システムにおいて、ユーザによるカスタマイズは、端末管理者によるカスタマイズを制限しない範囲で行いうることが好ましい。ここで、ユーザには端末の管理者、複数の端末をグループとして管理する管理者も含まれる。例えば、ホテルの客室にそれぞれ設置する端末をホテル毎に管理する場合や、フロアー毎に管理する場合の管理者もユーザとして含まれる。端末の管理者によるクライアント端末の操作表示部のカスタマイズも、モバイル端末、ＰＣ等を利用して行うことができ、クライアント端末自体を操作することによって行うこともできる。例えば、ＰＣを利用してカスタマイズを行う場合には、専用の端末の操作表示部の表示画面構築プログラムを利用して、表示や操作のカスタマイズを行う。表示画面構築プログラムとは、ＰＣ等で動作する画面作成プログラムであり、予め用意されたボタンなどを表示エリアに適宜配置し、ボタンサイズを調整し、ボタン名称を設定できるものであり、ボタンがタッチ操作された際の要求イベントを定義できるものである。
【００１２】
カスタマイズの例としては、端末管理者がクライアント端末の操作表示コンテンツの種類や表示位置をカスタマイズするものでもよいし、表示パーツを組み合わせて操作表示コンテンツを製作し、それを個々のクライアント端末に対してダウンロードできるようにするといったものでもよい。なお、クライアント端末の操作表示コンテンツの情報については、全てシステム側の管理サーバで管理し、個々のクライアント端末が表示する操作表示コンテンツを端末からの要求に応じてダウンロードして、更新できる構造となっている。
【００１３】
例えば、端末管理者がホテルの運営者であり、クライアント端末を客室に設置しているという場合に、ホテルの運営者は、フロントへの緊急連絡ボタンは常に表示したいと考え、ユーザである宿泊客は、時刻や天気予報を表示したいと考えたとする。このような場合、まず、端末管理者であるホテルの運営者に、表示を固定したいと考えるコンテンツにつき、固定させ、残りの表示領域の範囲内で、ユーザは、自己が望むコンテンツである時刻や天気予報を表示することができるとする。これにより、端末管理者とユーザの双方のニーズのバランスをとることができる。また、表示の固定等については、特定の領域に限られず、例えば、特定のクライアント端末についてのみ表示を固定するといった端末毎の設定も可能である。
【００１４】
本発明の操作表示システムにおいて、管理サーバは、情報を管理するクライアント端末の内、複数の端末を一括して操作表示部をカスタマイズし得ることが好ましい。すなわち、操作表示部のカスタマイズは、１つのクライアント端末についてのみ設定変更を行うこともできるが、例えば、端末管理者が管理するクライアント端末をグループとして登録することで、一定のグループにつき一括で設定変更を行うことができる。
【００１５】
本発明の操作表示システムにおいて、クライアント端末は、自然由来の木材、天然繊維、天然皮革もしくは天然石材、又は、自然の外観と手触りを模倣して生成された素材である合成繊維、合成皮革もしくは人工石から成る薄層が、筐体の外周面に組込まれたタッチセンサ付き表示パネル前面全体を少なくとも被覆しパネル前面に当接するように、筐体の外周面に配設され、薄層の厚さとパネルの輝度が、該パネルに表示されたコンテンツを視認できるように設計されたことが好ましい。
自然由来の素材等が表面に用いられたクライアント端末は、温かみのある質感から、その存在が室内空間にマッチしやすいという利点がある。そのため、端末管理者やユーザによる表示や操作のカスタマイズにより利便性が向上すると同時に、ユーザをリラックスさせる効果も有している。
【発明の効果】
【００１６】
本発明の操作表示システムによれば、端末管理者にとっては、多数のクライアント端末を容易に管理することができ、ユーザにとっては、自身の好みに合った表示や操作が可能となるといった効果がある。
【図面の簡単な説明】
【００１７】
【図１】実施例１の操作表示システムのシステム構成図
【図２】実施例１の操作表示システムの機能ブロック図
【図３】実施例１の操作表示システムのクライアント端末の管理フロー図（１）
【図４】実施例１の操作表示システムのクライアント端末の管理フロー図（２）
【図５】実施例１の操作表示システムの個人設定イメージ図
【図６】実施例１の操作表示システムの個人設定フロー図
【図７】実施例２の操作表示システムの表示イメージ図
【図８】実施例３の操作表示システムの個人設定イメージ図
【図９】実施例３の操作表示システムの個人設定フロー図
【図１０】実施例４の操作表示システムの個人設定イメージ図
【図１１】実施例５の操作表示システムの個人設定イメージ図
【発明を実施するための最良の形態】
【００１８】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１９】
図１は、実施例１の操作表示システムのシステム構成図を示している。図１に示すように、操作表示システム１００は、クライアント端末（１ａ〜１ｅ）、管理サーバ２、モバイル端末（３ａ〜３ｃ）から成り、それぞれネットワーク４に接続されている。
管理サーバ２には、データベース２３が設けられており、グループ管理者及びユーザの登録情報や設定情報を記憶し、必要に応じて読み込みを行う構造である。
また、クライアント端末（１ａ〜１ｃ）はグループ管理者６によって管理されている。クライアント端末１ｄやクライアント端末１ｅは、ここでは図示しないが、他のユーザによって管理及び利用されている端末である。
【００２０】
本実施例で示すクライアント端末（１ａ〜１ｅ）は、木材から成る薄層が、筐体の外周面に組込まれたタッチセンサ付き表示パネル前面全体を被覆しパネル前面に当接するように、筐体の外周面に配設され、薄層の厚さとパネルの輝度が、該パネルに表示されたコンテンツを視認できるように設計されたものである。木材という自然由来の素材が表面に用いられていることから、無機質な外観を有するクライアント端末とは異なり、温かみが感じられる形態となっている。
クライアント端末は、ここで示す５つの端末に限られず、多数の端末を利用でき、データベース２３にクライアント端末に関する情報を記憶可能である。また、１人のグループ管理者が管理可能なクライアント端末についても、クライアント端末（１ａ〜１ｃ）に限らず、より多数の端末を一括して管理することが可能である。
【００２１】
モバイル端末３ａはユーザ７が所持している端末である。モバイル端末３ｂやモバイル端末３ｃは、ここでは図示しないが、他のユーザが所持している端末である。ここで、モバイル端末としては、スマートフォンやタブレット端末が好適であるが、これらに限られず、ＰＣやウェアラブル端末など幅広い端末が利用可能である。
ネットワーク４としては、インターネットが用いられているが、クライアント端末（１ａ〜１ｅ）とモバイル端末（３ａ〜３ｃ）との通信は、インターネット以外の通信手段（５ａ，５ｂ）によって行うことも可能である。通信手段（５ａ，５ｂ）としては、インターネット以外の手段を広く含み、ＱＲコード（登録商標）などの二次元コードや、生体認証をセンシングする方式でもよいし、近距離無線通信を用いてもよい。また、ここでは図示しないが、有線による通信を行うものでもよい。
コンピュータ８は、グループ管理者６がクライアント端末（１ａ〜１ｃ）の管理を行うために用いるものである。例えば、グループ管理者６は、クライアント端末（１ａ〜１ｃ）に関するユーザ登録や、表示するコンテンツの設定を、コンピュータ８において一括して又は個別に行うことができる。なお、コンピュータ８は、必ずしもＰＣである必要はなく、スマートフォンやタブレット端末等のモバイル端末を用いることも可能である。
【００２２】
図２は、実施例１の操作表示システムの機能ブロック図を示している。図２に示すように、管理サーバ２には、クライアント端末管理手段２１、ユーザ情報管理手段２２、データベース２３、送信手段２４及び受信手段２５が設けられている。
クライアント端末１には、位置情報取得手段１１、表示手段１２、送信手段１３及び受信手段１４が設けられている。
位置情報取得手段１１の例としては、グローバル・ポジショニング・システム（ＧＰＳ：Global Positioning System）などの衛星測位システムを用いることができる。これにより、グループ管理者は、自己が管理するクライアント端末の位置情報を自身の所有するＰＣ等で取得し、適切にクライアント端末を管理することができる。
【００２３】
管理サーバ２におけるクライアント端末管理手段２１は、個々のクライアント端末の識別ＩＤだけではなく、各クライアント端末を管理するグループ管理者情報や、グループ設定に関する情報なども管理するものである。
ユーザ情報管理手段２２は、操作表示システム１００についてユーザ登録を行った者の氏名、性別、生年月日等、ユーザを識別する情報を管理するものである。送信手段２４及び受信手段２５は、クライアント端末１、モバイル端末３とのデータの送受信を行うものである。
【００２４】
モバイル端末３には、クライアント端末情報取得手段３１が設けられている。ここで、クライアント端末情報取得手段３１としては、モバイル端末３に設けられたカメラが好適である。
【００２５】
図３は、実施例１の操作表示システムのクライアント端末の管理フロー図であり、クライアント端末を利用するに当たり、初期設定を行う場合を示している。図３に示すように、まずモバイル端末において、グループ登録および設定登録を行う（Ｓ１０１）。ここで、グループ登録とは、グループの名称やグループ管理者の氏名、生年月日、ＩＤ、パスワード等、グループを識別するための情報を登録するこという。また、設定登録とは、クライアント端末において表示するコンテンツの種類や表示方法、操作等の設定を登録することをいう。本実施例では、１つのクライアント端末において行ったグループ登録や設定登録を、グループ管理者が管理する全ての端末に反映する場合として説明しているが、当該端末にのみ反映することも可能である。
グループ登録および設定登録については、モバイル端末ではなく、図１で示したコンピュータ８のように、ユーザが管理するコンピュータを用いて行ってもよい。その場合は、例えば、管理サーバからユーザの管理するコンピュータにダウンロードされ、インストールされたアプリケーションを利用して行ってもよい。
【００２６】
次に、グループ情報および設定情報を管理サーバへ送信する（Ｓ１０２）。管理サーバは、グループ情報および設定情報を受信すると（Ｓ１０３）、クライアント端末のＩＤとグループ情報を紐付けし（Ｓ１０４）、クライアント端末における表示・操作設定をデータベースに保存する（Ｓ１０５）。
クライアント端末は、管理サーバに対して、設定情報の取得要求を送信し（Ｓ１０６）、管理サーバは、これを受信する（Ｓ１０７）。クライアント端末から管理サーバへの設定情報の取得要求は、全ての端末について一定時間毎に行われる。
その後、管理サーバは、クライアント端末に対して、設定情報を送信し（Ｓ１０８）、クライアント端末は、設定情報を受信する（Ｓ１０９）。
クライアント端末は、取得した設定情報に応じて表示および処理を行う（Ｓ１１０）。
【００２７】
初期登録が終わった後、ユーザがクライアント端末を使用する中で、当初設定したクライアント端末の表示内容を変更することを望む場合が考えられる。そこで、ユーザによるクライアント端末の設定変更について図４を参照しながら説明する。
図４は、実施例１の操作表示システムのクライアント端末の管理フロー図であり、グループ管理者が、クライアント端末を操作することにより、設定を変更する場合を示している。
図４に示すように、まず、グループ管理者により、モバイル端末から、クライアント端末の設定を変更する（Ｓ２０１）。次に、変更された設定情報を管理サーバへ送信する（Ｓ２０２）。管理サーバは、変更された設定情報を受信すると（Ｓ２０３）、紐付けされた情報を元に、クライアント端末における表示・操作設定をデータベースに保存する（Ｓ２０４）。
クライアント端末は管理サーバに対して、設定情報の取得要求を送信し（Ｓ２０５）、管理サーバは、設定情報の取得要求を受信する（Ｓ２０６）。管理サーバは、クライアント端末に対して設定情報を送信し（Ｓ２０７）、クライアント端末は、設定情報を受信する（Ｓ２０８）。
クライアント端末は、取得した設定情報に応じて表示および処理を行う（Ｓ２０９）。
【００２８】
本実施例における操作表示システムは、複数のクライアント端末（１ａ〜１ｃ）を１人のグループ管理者が管理できるものであり、例えば、ホテルの客室に設置して、宿泊客に利用させるといった使用方法が可能である。したがって、このような場合には、設置者であるホテルの運営者側にとって利便性の高い操作表示システムであるだけではなく、エンドユーザである宿泊客にとっても利便性の高い操作表示システムである必要がある。そこで、操作表示システム１００は、宿泊客のような一時的な利用者にとって、カスタマイズが可能となっている。かかるカスタマイズの仕組みについて、図５及び６を参照しながら説明する。
【００２９】
図５は、実施例１の操作表示システムの個人設定イメージ図を示している。図５に示すように、クライアント端末１ａの操作表示部１２ａの中央には、二次元コード９ａが表示されている。二次元コード９ａは、クライアント端末１ａの識別ＩＤを表示したものである。
図１で示したユーザ７は、操作表示システム１００について予めユーザ登録を行い、また、自身が所持するモバイル端末３ａに、二次元コード９ａを読取るためのアプリケーションをインストールし、起動しているものとする。かかる状態で、ユーザ７がモバイル端末３ａに備えられたカメラ（図示せず）で、二次元コード９ａを読取り、管理サーバ２へクライアント端末１ａの識別ＩＤと、自己のユーザＩＤを送信する。これにより、管理サーバ２は、クライアント端末１ａに、ユーザ７に合ったコンテンツの表示や操作に関する情報を送信することができ、ユーザ７は、自己の好みや利便性に適った利用が容易にできることになる。
【００３０】
図６は、実施例１の操作表示システムの個人設定フロー図を示している。図６に示すように、クライアント端末について、所定の箇所をタップして、個人設定モードに切り替える（Ｓ４０１）。クライアント端末の識別ＩＤを二次元コードでディスプレイ表示する（Ｓ４０２）。モバイル端末にインストールされた専用のアプリケーションで、クライアント端末の操作表示部に表示された二次元コードを読取る（Ｓ４０３）。専用のアプリケーションを用いて、ユーザ情報とクライアント端末の識別ＩＤを、モバイル端末から管理サーバへ送信する（Ｓ４０４）。
管理サーバは、ユーザ情報及びクライアント端末の識別ＩＤを受信し（Ｓ４０５）、ユーザ情報の設定を該クライアント端末の設定として保存する（Ｓ４０６）。
クライアント端末から設定情報の取得要求が送信され（Ｓ４０７）、管理サーバが設定情報の取得要求を受信する（Ｓ４０８）。管理サーバは、クライアント端末へ設定情報を送信し（Ｓ４０９）、クライアント端末は、設定情報を受信する（Ｓ４１０）。
クライアント端末は、取得した設定情報に応じて表示および処理を行う（Ｓ４１１）。
【実施例２】
【００３１】
実施例１で示したように、グループ管理者により、クライアント端末の表示や操作を設定するだけではなく、ホテルの宿泊客のような一時的な利用者にもカスタマイズ可能な構成とすると、それぞれの表示をどのように行うかが問題となる。そこで、表示方法や操作方法について、図７を参照しながら説明を行う。
図７は、実施例２の操作表示システムの表示イメージ図であり、（１）は操作表示部が左右に均等に分割された場合、（２）は一方の操作表示部を狭く設け、他方の操作表示部を広く設けた場合、（３）は操作表示部の切替手段を設けた場合を示している。
【００３２】
図７（１）では、クライアント端末１ｆには、操作表示部（１２ｂ，１２ｃ）が左右に均等に設けられている。したがって、例えば、クライアント端末１ｆを利用するグループ管理者が設定したコンテンツについては操作表示部１２ｂに表示し、ユーザが設定したコンテンツについては操作表示部１２ｃに表示するといったことが可能である。
【００３３】
図７（２）では、クライアント端末１ｆには、操作表示部１２ｄは狭く設けられ、他方の操作表示部１２ｅはより広く設けられている。したがって、例えば、グループ管理者が自己の表示エリアを予め狭く設定することで、ユーザがカスタマイズした場合には、ユーザ個人の設定したコンテンツを表示しやすくすることが可能である。
また、図７（１）に示した状態で、操作表示部１２ｃの領域を広げる操作を行うことで、図７（２）の操作表示部１２ｅのようにして、表示エリアを広げるといったことも可能である。
また、グループ管理者は、管理する端末について、一定の表示エリアについては、表示コンテンツを固定し、ユーザの好みに合わせた表示ができないようにすることも可能である。例えば、ホテルの運営者が、客室にクライアント端末を設置した場合に、操作表示部１２ｄにはフロントへの緊急連絡ボタンを表示しておき、かかるエリアについては、ユーザによる個人設定によっても変更できない設定とすることができる。
【００３４】
図７（３）では、クライアント端末１ｆの上面には、切替スイッチ１５が設けられている。これは、切替スイッチ１５を操作することで、操作表示部１２ｆが切り替わり、グループ管理者が設定したコンテンツと、ユーザ個人の設定したコンテンツを容易に切り替えることが可能な構成となっている。このように、操作表示部１２ｆ以外の位置に切替手段を設けるのではなく、例えば、操作表示部１２ｆの中の所定の位置をタップする等して、表示コンテンツを切り替える構成でもよい。
【実施例３】
【００３５】
実施例１では、クライアント端末のディスプレイ上に二次元コードを表示し、それをモバイル端末で読取ることでクライアント端末とユーザの紐付けを行う構成を示したが、本実施例では、これとは逆に、モバイル端末のディスプレイ上に二次元コードを表示し、それをクライアント端末で読取ることでクライアント端末とユーザの紐付けを行う構成について説明する。
図８は、実施例３の操作表示システムの個人設定イメージ図を示している。図８に示すように、クライアント端末１ｇは、操作表示部１２ｇの右下の位置にカメラ１６が設けられている。
また、図１で示したユーザ７が所持するモバイル端末３ａのディスプレイ３３上には、二次元コード９ｂが表示されている。二次元コード９ｂは、ユーザ７の識別ＩＤを表示したものである。モバイル端末における二次元コードの表示は、専用のアプリケーションを用いて行っているが、管理サーバが提供するインターネットサイトにアクセスし、ログインして、二次元コードを表示する方式でもよい。
ユーザ７が、二次元コード９ｂが表示された箇所をカメラ１６にかざすことで、クライアント端末１ｇは、ユーザ７の情報を読取り、管理サーバとの通信を行い、ユーザ７にカスタマイズされた表示や操作の設定がなされる。
なお、カメラ１６は、必ずしも操作表示部１２ｇと同じ面に設けられる必要はなく、例えば、クライアント端末１ｇの側面に設けられていてもよい。
【００３６】
図９は、実施例３の操作表示システムの個人設定フロー図を示している。図９に示すように、まず、クライアント端末の所定の箇所をタップして、個人設定モードに切り替える（Ｓ５０１）。モバイル端末にインストールされた専用のアプリケーションで、ユーザＩＤを二次元コードでディスプレイ表示する（Ｓ５０２）。モバイル端末のディスプレイに表示された二次元コードをクライアント端末に設けられたセンサで読取る（Ｓ５０３）。専用のアプリケーションを用いて、ユーザ情報とクライアント端末の識別ＩＤを、クライアント端末から管理サーバへ送信する（Ｓ５０４）。
管理サーバは、ユーザ情報及びクライアント端末の識別ＩＤを受信し（Ｓ５０５）、ユーザ情報の設定を該クライアント端末の設定として保存する（Ｓ５０６）。
クライアント端末から設定情報の取得要求が送信され（Ｓ５０７）、管理サーバが設定情報の取得要求を受信する（Ｓ５０８）。管理サーバは、クライアント端末へ設定情報を送信し（Ｓ５０９）、クライアント端末は、設定情報を受信する（Ｓ５１０）。
クライアント端末は、取得した設定情報に応じて表示および処理を行う（Ｓ５１１）。
【実施例４】
【００３７】
図１０は、実施例４の操作表示システムの個人設定イメージ図を示している。図１０に示すように、クライアント端末１ｈは、操作表示部１２ｇの右下の位置に指紋センサ１７が設けられている。
ユーザ（図示せず）は、予め自己の指紋情報を管理サーバに登録している。そのため、手７１の指先を指紋センサ１７に押し当てて、指紋の照合を行うことで、指紋を読取ったクライアント端末とユーザの指紋情報を紐付けることが可能である。具体的には、指紋を読取ったクライアント端末とユーザの指紋情報を管理サーバに送信した上で、紐付けを行う。ユーザの認証に生体認証を用いる以外の点については、実施例３と同様である。
【実施例５】
【００３８】
図１１は、実施例５の操作表示システムの個人設定イメージ図を示している。図１１に示すように、クライアント端末１ｉは、操作表示部１２ｇの右下の位置にＲＦＩＤタグリーダー１８が設けられている。
ユーザ（図示せず）は、予め自己の認証情報として、ＲＦＩＤタグのＩＤ情報を管理サーバに登録している。そのため、ＲＦＩＤタグ７２をＲＦＩＤタグリーダー１８に近づけることで、タグ情報を読取ったクライアント端末とユーザのＩＤ情報を紐付けることが可能である。具体的には、ＲＦＩＤタグ７２を読取ったクライアント端末１ｉとユーザのＩＤ情報を管理サーバに送信した上で、紐付けを行う。ユーザの認証にＲＦＩＤタグを用いる以外の点については、実施例３と同様である。
この実施例では、ＲＦＩＤタグ７２として社員証を利用することでオフィス内でのクライアント端末利用を行う際に社員ごとの最適化された情報表示を行うためにも利用することができる。
【産業上の利用可能性】
【００３９】
本発明は、ホテルや貸会議室などのように、複数のクライアント端末を管理する管理者と、それを利用する不特定多数のユーザが存在する場所にクライアント端末を設置する操作表示システムに有用である。
【符号の説明】
【００４０】
１，１ａ〜１ｉ  クライアント端末
２  管理サーバ
３，３ａ〜３ｃ  モバイル端末
４  ネットワーク
５ａ，５ｂ  通信手段
６  グループ管理者
７  ユーザ
８  コンピュータ
９ａ，９ｂ  二次元コード
１１  位置情報取得手段
１２  表示手段
１２ａ〜１２ｇ  操作表示部
１３，２４，３２  送信手段
１４，２５  受信手段
１５  切替スイッチ
１６  カメラ
１７  指紋センサ
１８  ＲＦＩＤタグリーダー
２１  クライアント端末管理手段
２２  ユーザ情報管理手段
２３  データベース
３１  クライアント端末情報取得手段
３３  ディスプレイ
７１  手
７２  ＲＦＩＤタグ
１００  操作表示システム
【図１】
2019159577.tif 000003
【図２】
2019159577.tif 000004
【図３】
2019159577.tif 000005
【図４】
2019159577.tif 000006
【図５】
2019159577.tif 000007
【図６】
2019159577.tif 000008
【図７】
2019159577.tif 000009
【図８】
2019159577.tif 000010
【図９】
2019159577.tif 000011
【図１０】
2019159577.tif 000012
【図１１】
2019159577.tif 000013